(57)【要約】マトリクスアレイディスプレイ装置（１００）は、ポリイミド基板のようなフレキシブルな基板（１１０）上に備えられ、複数の第２導体（１３０）と交差する複数の第１導体（１２０）を有し、第１導体（１２０）と第２導体（１３０）の間の交差部分の近傍に位置付けられた複数の画素（１４０）を有する。ディスプレイ装置（１００）はフレキシブルなシフトレジスタ（１５０）と、第１導体（１２０）をアドレス指定するための任意の更なるフレキシブルなシフトレジスタ（１６０）とを有する。フレキシブルなシフトレジスタは、好適には、有機半導体材料を用いて実現され、例えば、バス構造より小さいフレキシブルな基板の面積を占め、それ故、ディスプレイ装置（１００）の有効な表示面積を増加させることができる。
2007503012.tif 000002
【特許請求の範囲】
【請求項１】
ディスプレイ装置であって、マトリクスアレイを担持しているフレキシブルな基板は：
複数の第１導体；
複数の第２導体であって、該複数の第２導体は前記複数の第１導体と交差している、複数の第２導体；並びに
複数の画素であって、各々の画素は第１導体と第２導体との交差部分の近傍に位置付けられ、前記画素は前記第１導体と前記第２導体とによりアドレス指定可能である電気光学要素を有する、複数の画素；
を有する、ディスプレイ装置であり、
前記複数の第１導体をアドレス指定するためのフレキシブルなシフトレジスタであって、該フレキシブルなシフトレジスタは複数のシフトレジスタセルを有し、各々のシフトレジスタセルは前記第１導体の１つに接続されている、フレキシブルなシフトレジスタ；
を更に有することを特徴とするディスプレイ装置。
【請求項２】
請求項１に記載のディスプレイ装置であって、各々の画素は関連する前記第２導体と電気光学要素との間に結合されたスイッチを有し、前記スイッチは有機半導体材料と関連する前記第１導体に結合された制御端子とを有する、ことを特徴とするディスプレイ装置。
【請求項３】
請求項１又は２に記載のディスプレイ装置であって、各々のシフトレジスタセルは複数の更なるスイッチを有し、各々の更なるスイッチは更なる有機半導体材料を有する、ことを特徴とするディスプレイ装置。
【請求項４】
請求項３に記載のディスプレイ装置であって、前記シフトレジスタは前記フレキシブルな基板により担持されている、ことを特徴とするディスプレイ装置。
【請求項５】
請求項１乃至４の何れ一項に記載のディスプレイ装置であって、前記シフトレジスタは更なるフレキシブルな基板により担持され、前記更なるフレキシブルな基板は前記フレキシブルな基板の第１側に結合されている、ことを特徴とするディスプレイ装置。
【請求項６】
請求項１乃至５の何れ一項に記載のディスプレイ装置であって、前記シフトレジスタは外部の制御回路構成に前記シフトレジスタを接続するための第１の複数のコネクタを有する、ことを特徴とするディスプレイ装置。
【請求項７】
請求項１乃至６の何れ一項に記載のディスプレイ装置であって、前記ディスプレイ装置は前記複数の第１導体をアドレス指定するための更なるフレキシブルなシフトレジスタを更に有し、前記更なるフレキシブルなシフトレジスタは複数の更なるシフトレジスタセルを有し、各々の更なるシフトレジスタセルは前記第１導体の１つに結合され、前記更なるシフトレジスタは前記シフトレジスタと平行に備えられている、ことを特徴とするディスプレイ装置。
【請求項８】
請求項７に記載のディスプレイ装置であって、前記更なるシフトレジスタは前記フレキシブルな基板により担持されている、ことを特徴とするディスプレイ装置。
【請求項９】
請求項７に記載のディスプレイ装置であって、前記更なるシフトレジスタは第２の更なるフレキシブルな基板により担持され、前記第２の更なるフレキシブルな基板は前記フレキシブルな基板の第２側に結合されている、ことを特徴とするディスプレイ装置。
【請求項１０】
請求項７乃至９の何れ一項に記載のディスプレイ装置であって、前記シフトレジスタは外部の制御回路構成に前記更なるシフトレジスタを接続するための第２の複数のコネクタを有する、ことを特徴とするディスプレイ装置。
【請求項１１】
請求項６又は１０に記載のディスプレイ装置であって、前記ディスプレイ装置は前記フレキシブルな基板の第３側において更なる複数のコネクタを更に有し、前記複数のコネクタは外部の制御回路構成に前記ディスプレイ装置の前記第２導体を接続するための前記複数の第２導体に導通するように結合されている、ことを特徴とするディスプレイ装置。
【請求項１２】
電子装置であって：
請求項１１に記載のディスプレイ装置を制御するための制御回路構成；及び
前記制御回路構成に結合された第２の更なる複数のコネクタであって、該第２の更なる複数のコネクタは、少なくとも第１の複数のコネクタ及び更なる複数のコネクタに制御回路構成を相互接続するように備えられている、第２の更なる複数のコネクタ；
を有することを特徴とする電子装置。
【発明の詳細な説明】
【技術分野】
【０００１】
本発明は、マトリクスアレイを有するフレキシブルな基板を有するマトリクスアレイディスプレイ装置に関する。
【０００２】
本発明は、そのようなマトリクスアレイディスプレイ装置を制御するように備えられた電子装置に更に関する。
【背景技術】
【０００３】
フレキシブルなディスプレイ装置、即ち、使用していない状態でディスプレイ装置のサイズを著しく減少させるように丸めることができる表示装置は、益々、研究努力の焦点が当てられるようになってきた。そのようなディスプレイ装置の例について、文献、Ａｐｐｌｉｅｄ  Ｐｈｙｓｕｃｓ  Ｌｅｔｔｅｒｓ，Ｖｏｌ．７８，Ｎｏ．２３，ｐｐ．３５９２−３５９４，２００１に記載されている。
【０００４】
このように関心が高まっている理由の１つは、そのようなディスプレイ装置は広範なアプリケーションドメインの範囲において有用であることである。そのようなアプリケーションドメインの１つは携帯電話市場であり、その市場において、インターネットからの情報にアクセスするため又は映像データストリームを表示するために携帯電話が使用されるとき、大きい表示面積を有することができることは有利である。
【０００５】
そのようなディスプレイ装置のフレキシビリティは、典型的には、アクティブマトリクスアレイディスプレイ装置の場合に、基板及び薄膜トランジスタのようなディスプレイ装置の幾つかの部品のために有機高分子材料のようなフレキシブルな材料を使用することにより得られる。高いフレキシビリティを維持するために、マトリクスアレイを制御するための制御回路構成は、好適には、フレキシブルなマトリクスアレイディスプレイ装置の片側に位置付けられている。明らかに、制御回路構成に対して実質的に直交状態にあるマトリクスアレイの導体への接続は、制御回路構成に対して実質的に平行状態にあるマトリクスアレイの導体への接続に比べて非常に単純である。通常、制御回路構成と平行状態にある導体は、ディスプレイ装置の１つ又は２つのフレキシブルな側に複数の導電性接続トラックを有することにより制御回路構成に接続されていて、導電性トラックは第２導体と平行状態にあり、導電性トラックの各々は制御回路構成に第１導体を接続している。
【０００６】
しかしながら、そのようなディスプレイ装置の行数が大きくなると、接続トラックは画像表示面積の大きな部分を必要とし、それは不所望なことである、
接続トラック数が多いことは付加的な不利点を有する。有機材料に固有の問題点は、それらの材料は空気及び湿気に対して敏感であることであり、そのことはディスプレイ装置の寿命を制限することとなる。これは、保護層でディスプレイ装置を包み込むことにより解決することができるが、そのような層はフレキシビリティに関して悪影響を与え、ディスプレイ装置の全体的なコストを増加させる不利点を有する。それに代えて、ディスプレイ装置は保護されないままにする、その場合、ディスプレイ装置は制限された寿命を有する。しかしながら、そのような制限された寿命は、保護していないフレキシブルなディスプレイ装置のコストは低く保つことができるため、主な不利点ではなく、そのことは、置き換え用ディスプレイ装置が手頃な価格で市場供給されることを意味する。しかしながら、使い捨てディスプレイ装置は容易に置き換えることができることが望ましい。ディスプレイ装置と制御回路構成との間の接続数が多くなると、そのようなディスプレイ装置の交換は複雑になり、そのことは又、望まれるところではない。
【発明の開示】
【発明が解決しようとする課題】
【０００７】
本発明の目的は、フレキシブルなディスプレイ装置の改善を提供することである。
【０００８】
本発明の他の目的は、改善されたフレキシブルなディスプレイ装置を制御するための電子装置を提供することである。
【課題を解決するための手段】
【０００９】
本発明の第１特徴に従って、マトリクスアレイディスプレイ装置であって、複数の第１導体を有するマトリクスアレイを有するフレキシブルな基板と、複数の第２導体であって、第２導体の各々は複数の第１導体と交差する複数の第２導体と、複数の画素であって、各々の画素は、第１導体と第２導体の交差部分の近傍に位置付けられている、複数の画素と、を有し、画素は第１導体と第２導体とによりアドレス可能である電気光学要素を有し、ディスプレイ装置は複数の第１導体にアドレスするためのフレキシブルなシフトレジスタを更に有し、そのフレキシブルなシフトレジスタは複数のシフトレジスタセルを有し、各々のシフトレジスタセルは第１導体の１つと結合されている、マトリクスアレイディスプレイ装置を提供する。
【００１０】
フレキシブルなシフトレジスタを使用することは、第１導体のための必要な信号全てを最小の３つの外部接続により供給することができるという有利点を有する。それらの接続の２つは電力供給用であり、第３の接続は、シフトレジスタセルから対応する第１導体にデータ信号をシフトさせるクロック信号用である。第１導体が行導体である場合、データはフレキシブルなディスプレイ装置において生成されることが可能であり、又は、更なる外部接続によりシフトレジスタに供給されることが可能である。その結果、ディスプレイ装置においては、必要な接続はより少なく、従来技術におけるフレキシブルな基板上のディスプレイ装置より大きい有効画像表示面積を有する。このことにより、特に、各々の画素が関連する第２導体と電気光学要素との間にスイッチを有し、そのスイッチは有機半導体材料と関連する第１導体に結合した制御端子とを有し、即ち、アクティブマトリクスアレイディスプレイ装置はフレキシブルな有機のＴＦＴを有し、通常、非常に多くの第１導体を有するディスプレイ装置が成立する。
【００１１】
有利であることに、各々のシフトレジスタセルは複数の更なるスイッチを有し、各々の更なるスイッチは更なる有機半導体材料を有する。有機スイッチ、例えば、トランジスタを使用することにより、シフトレジスタのフレキシビリティを高くすることができる。
【００１２】
実施形態においては、シフトレジスタはフレキシブルな基板により担持されている。これは、画素におけるスイッチ及びシフトレジスタの更なるスイッチが同じ技術において実現され、それ故、ディスプレイ装置のコストを削減することができるため、アクティブマトリクスディスプレイ装置の場合、特に有利である。
【００１３】
代替の実施形態においては、シフトレジスタは更なるフレキシブルな基板により担持され、その更なるフレキシブルな基板はそのフレキシブルな基板の第１側に接着されている。これは、マトリクスアレイの製造プロセス及びシフトレジスタの製造プロセスが互いから分離され、その場合、それらの２つの部分の一における製造誤差が全体的なディスプレイ装置の故障に自動的には結び付かないため、ディスプレイ装置の製造プロセスの全体的な歩留まりが向上する有利点を有する。更に、分離した製造プロセスは又、アクティブマトリクスアレイの画素におけるスイッチ及びシフトレジスタの更なるスイッチのための異なる半導体材料又は異なる製造プロセスを用いることを可能にし、それらを種々のスイッチの性能を最適化するために選択することができる。又、更なる基板を使用することは、更なるスイッチの相当数がシフトレジスタ機能性を改善するために形成される必要がある更なる基板のより高価な製造プロセスから安価なパッシブマトリクスの製造プロセスを分離することができるため、パッシブマトリクスアレイディスプレイ装置の場合には有利である。
【００１４】
ディスプレイ装置が複数の第１導体をアドレス指定するための更なるフレキシブルなシフトレジスタを有する場合、更なるフレキシブルなシフトレジスタは複数の更なるシフトレジスタセルであって、各々の更なるシフトレジスタセルは第１導体の１つに結合され、更なるシフトレジスタはシフトレジスタと平行に配置されていることは、更に有利である。
【００１５】
第２の更なるフレキシブルな基板に担持されることが可能である、又は、第２の更なるフレキシブルな基板により担持されることが可能である更なるシフトレジスタであって、
第２の更なるフレキシブルな基板がフレキシブルな基板の第２側に接着された、更なるシフトレジスタの存在は多くの有利点を有する。第１に、ディスプレイ装置の寿命は、シフトレジスタの機能性の必要な動作時間はシフトレジスタと更なるシフトレジスタとの間で分割されることができ、それ故、それらの寿命を長くするそれぞれのシフトレジスタのスイッチにおけるストレスを低減するために、第２シフトレジスタの存在により長くなる。更に、フレキシブルな基板における更なるシフトレジスタの存在により、シフトレジスタの１つの欠点が全体のディスプレイ装置の故障にもはや繋がることはないため、ディスプレイ装置の生産歩留まりは増加する。
【００１６】
有利であることに、シフトレジスタは外部の制御回路構成にそのシフトレジスタを接続するための第１の複数のコネクタを有し、更なるシフトレジスタは外部の制御回路構成に更なるシフトレジスタを接続するための第２の複数のコネクタを有し、そして、ディスプレイ装置は、フレキシブルな基板の第３側において更なる複数のコネクタを更に有し、それらの複数のコネクタは、外部の制御回路構成にディスプレイ装置の第２導体を接続するための複数の第２導体に導通するように結合されている。
【００１７】
それらのコネクタは、雄コネクタ又は雌コネクタであることが可能であり、それらのライフサイクルの終了に達したとき、ディスプレイ装置の容易な交換が可能である。
【００１８】
本発明の他の特徴に従って、外部の制御回路構成にシフトレジスタを接続するための第１の複数のコネクタと外部の回路構成に第２導体を接続するための更なる複数のコネクタとを少なくとも有するディスプレイ装置を制御するための回路構成を有する電子装置であって、ソケットが少なくとも第１の複数のコネクタと更なる複数のコネクタとに制御回路構成を相互接続するように備えられている電子装置を提供する。そのような電子装置は、ディスプレイ装置の交換が限定された数のコネクタのために容易であるために、本発明のディスプレイ装置から恩恵を受けるものである。このことは、電子装置の市場性を改善する。
【００１９】
本発明について、以下、添付図を参照して非限定的な実施例に関して詳述する。
【００２０】
それらの図は模式図であり、スケーリングして描かれていないことを理解する必要がある。同じ参照番号は同一又は類似する部分を示すように全部の図を通して用いていることを又、理解されたい。
【発明を実施するための最良の形態】
【００２１】
図１は、丸められた状態の本発明のフレキシブルなディスプレイ装置１００を示している。ディスプレイ装置１００はマトリクスアレイを担持するフレキシブルな基板１１０を有する。フレキシブルな基板１１０は、何れの適切な材料、例えば、ポリイミドのような高分子材料から成る適切なフォイルを用いることにより実現されることが可能である。マトリクスアレイは、典型的には、複数の第１導体１２０と複数の第２導体とを有し、第２導体１３０の各々は複数の第１導体１２０と交差している。図１に示す実施形態においては、第１導体１２０は行導体であり、第２導体１３０は列導体である。
【００２２】
更に、マトリクスアレイは複数の画素１４０を有し、各々の画素１４０は第１導体１２０及び第２導体１３０の交差部分の近傍に位置付けられている。画素１４０は電気光学要素１４２を有し、その電気光学要素は第１導体１２０及び第２導体１３０によりアドレス指定可能である。電気光学要素１４２は、例えば、液晶又は電気泳動材料等の何れの適切な光バルブ材料を有することが可能であり、又は、発光高分子を有することが可能である。例えば、上記の実施形態及び光感応性要素の組み合わせ等の電気光学要素１４２の他の実施形態が又、実現可能である。
【００２３】
図１に示す実施形態においては、画素１４０は、関連する第２導体１３０と電気光学要素１４２との間に結合されたスイッチ１４４を更に有する。スイッチ１４４は、関連する第１導体１２０に結合した制御端子を有し、有機半導体材料を有する。有機半導体材料を使用することは、フレキシブルな基板１１０が熱に対して敏感であり且つ有機半導体材料は比較的低温でフレキシブルな基板１１０において処理されることができるため、好ましい。有機半導体材料を使用することは、スイッチ１４４のフレキシビリティを高くするという、更なる利点を有する。スイッチ１４４が存在することにより、図１に示すディスプレイ装置１００のマトリクスアレイがアクティブタイプであることを示しているが、ディスプレイ装置１００においてパッシブマトリクスアレイを使用することが同様に実現可能であることを強調しておく。スイッチ１４４は、当業者により容易に利用可能である周知の製造技術を用いて製造されることが可能である。そのような技術の例については、文献、Ａｐｐｌｉｅｄ  Ｐｈｙｓｉｃｓ  Ｌｅｔｔｅｒｓ，Ｖｏｌ．７７，Ｎｏ．１０，ｐａｇｅ１４８７−１４８９，２０００に記載されている。
【００２４】
ディスプレイ装置１００は、複数の第１導体１２０をアドレス指定するためのフレキシブルなシフトレジスタ１５０を更に有し、そのシフトレジスタ１５０は、各々が第１導体の１つに結合されている複数のシフトレジスタセル１５２により実現される。この実施形態においては、シフトレジスタ１５０は、スイッチ１４４と同じ技術で実現されるシフトレジスタセル１５２と共に基板１００上に集積される。シフトレジスタ１５０に結合されたフレキシブルな付加電子構成要素、例えば、バッファを、本発明の範囲から逸脱することなく、備えることが可能であることを理解されたい。
【００２５】
フレキシブルなシフトレジスタ１５０の存在により、複数の第１導体１２０を駆動するためのバス構造の必要性を不要にすることができる。シフトレジスタ１５０はバス構造より非常に小さく、そのことは、従って、画素１４０をレイアウトするために用いることができる基板１１０の面積の増加に繋がる。シフトレジスタ１５０は、外部の制御回路構成にシフトレジスタを接続するためのオプションの第１の複数のコネクタ１５４、１５６及び１５８を有する。そのようなコネクタは、フレキシブルなディスプレイ装置１００が使い捨て装置として使用するように予測可能であるときに必要とされ、その場合、容易な交換が望ましい。そのようなアプリケーションに対して、外部の制御回路構成に第２導体１３０を接続するための更なる複数のコネクタ１３２が又、存在する。
【００２６】
第１の複数のコネクタにおいては、３つと少ないコネクタであって、例えば、電力供給バイナリデータ入力をシフトレジスタ１５０に供給するためのコネクタ１５４及び１５６と、制御入力、例えば、クロック信号をシフトレジスタ１５０に供給するためのコネクタ１５８とで十分である。シフトレジスタのためのバイナリデータ入力は、付加コネクタ（図示せず）により供給されることが可能であり、又、フレキシブルなエレクトロニクスにより実現される専用の制御回路構成（図示せず）により生成されることが可能である。例えば、シフトレジスタ１５０のデータ入力は、新しい行アドレスサイクルの各々の第１クロックパルスにおけるバイナリ‘１’と、他のクロックパルス全てにおけるバイナリ‘０’とを生成するカウンタに結合されることが可能である。そのような内部のデータ信号生成は、第１導体１２０が行導体であるときに適用可能であることを理解されたい。その結果、フレキシブルなシフトレジスタ１５０は、駆動信号を第１導体１２０に供給するためにバス構造を有するフレキシブルなディスプレイに比べて外部コネクタにおいて著しい減少をもたらし、ここで、外部コネクタ数は、典型的には、第１導体１２０の数と一致している。コネクタ１３２、１５４、１５６及び１５８と数が少ないことは、それらのコネクタをより大きいピッチでレイアウトすることができ、それにより、上記のバス構造を担持するフレキシブルなディスプレイ装置に比べて、フレキシブルはディスプレイ装置１００の更に容易な交換を可能になる。
【００２７】
この点で、第１導体１２０は又、本発明の範囲から逸脱することなく、列導体であることが可能であることを強調しておく。このことは、画素１４０がオン状態又はオフ状態のみに対して駆動される場合に有利であり、その場合、バイナリデータは、シフトレジスタ１５０から列導体に直接動かすことができる。代替として、フレキシブルなディジタル／アナログ変換回路構成をシフトレジスタ１５０と第１導体１２０との間に結合させることが可能である。
【００２８】
図１に示す実施形態においては、シフトレジスタセル１６２を有し、任意の第１の複数のコネクタ１６４、１６６及び１６８を有する任意の更なるフレキシブルなシフトレジスタ１６０が又、ディスプレイ装置１００のフレキシブルな基板１１０上に存在する。その更なるシフトレジスタ１６０は又、画素１４０のスイッチ１４４と同じ技術で実現される。更なるシフトレジスタ１６０を任意に有することは少なくとも２つの目的のために役に立つ。
【００２９】
第１に、ディスプレイ装置１００の動作中、第１導体１２０の駆動は、フレキシブルなシフトレジスタ１５０と更なるフレキシブルなシフトレジスタ１６０との間で交互に繰り返される。このことは、有機半導体材料に基づくスイッチはスイッチング特性の低下、例えば、そのようなスイッチが長すぎる程度にバイアスされているとき又はそれらのオン／オフの切り換え周波数が大き過ぎるときであって、それ故、各々のバイアス期間からスイッチが回復できないときの、閾値電圧のドリフトを有するとして周知であるため、大きいピクチャリフレッシュレートを必要とするディスプレイアプリケーションにおいて、特に有利である。そのような劣化は、画像品質及びスイッチ自体の寿命に負の影響を与える。フレキシブルなシフトレジスタ１５０と更なるフレキシブルなシフトレジスタ１６０との間の駆動信号を多重化することにより、そのような負の影響は非常に低減される。
【００３０】
第２に、有機半導体材料に基づくスイッチを有する装置の製造プロセスは、そのようなプロセスの複雑性のために低い製造歩留まりを被る。明らかに、低い歩留まりのリスクは、装置における集積化がなされるスイッチの総数における増加に伴って増加する。フレキシブルなシフトレジスタ１５０は、典型的には、数千個のそれらのスイッチを有し、それらのスイッチは、ディスプレイ装置１００の非最適製造プロセスにおいて歩留まりの問題点をもたらすこととなる。冗長化シフトレジスタであるように意図された更なるフレキシブルなシフトレジスタを有することにより、それらの問題点は低減され、歩留まりは改善される。しかしながら、ディスプレイ装置１００の試験が、フレキシブルなシフトレジスタ１５０が故障していることを示す場合、更なるフレキシブルなシフトレジスタ１６０をバックアップレジスタとして使用することができる。
【００３１】
図２は、本発明のディスプレイ装置１００の歩留まりを改善するための代替の実施形態を示している。この実施形態においては、ディスプレイ装置１００のマトリクスアレイは、第１導体１２０及び第２導体１３０により駆動される画素１４０において電気光学要素１４２を有する、従来のパッシブマトリクスアレイである。又、これは、単に非限定的な実施例としてのものであり、アクティブマトリクスアレイは、この実施形態に対して同様に実現可能である。ディスプレイ装置１００は又、この実施形態において、更なるフレキシブルな基板２１０により担持されるシフトレジスタ１５０を有する。更なるフレキシブルな基板２１０は基板１１０と同じ材料から成ることが可能であるが、これは必ずしもそうでなくても良い。更なる基板２１０は、接着性の接着のような既知の接着技術を用いて、基板１１０に接着される。別個の更なる基板２１０上にシフトレジスタを用いているため、ディスプレイ装置１００及びシフトレジスタ１５０のマトリクスアレイの製造プロセスは別個のプロセスとなり、そのことは、ディスプレイ装置１００の２つの部分の一における不良がもはや全体のディスプレイ装置の損失に繋がらないという有利点を有する。又、別個のシフトレジスタの製造は、ディスプレイ装置１００のマトリクスアレイをシフトレジスタ１５０のためのスイッチの製造を容易化する、複雑な技術ではない単純な製造技術を用いて製造することができるため、パッシブマトリクスディスプレイ装置１００の製造を益々コストパフォーマンスの高いものにする。
【００３２】
明らかに、任意の更なるシフトレジスタ１６０は又、第２の更なるフレキシブルな基板２７０において実現されることが可能である。
【００３３】
図３は、本発明のディスプレイ装置１００の恩恵を受ける電子装置３００の実施例を示している。電子装置３００は、丸めた状態にディスプレイ装置１００を保つように設計されたカートリッジ１８０を有する。更に、電子装置３００は制御モジュール３２０を有し、その制御モジュールは、ディスプレイ装置１００を制御するための制御回路構成３２４と、制御回路構成３２４に電力供給するための電源（図示せず）とを有する。制御モジュール３２０は、戦士装置３００の主ユニット３５０に物理的に接続され、その場合、カートリッジ１８０は主ユニット３５０から物理的に分離されることが可能であり、又、制御モジュール３２０は主ユニット３５０から物理的に分離されることが可能であり、その場合、制御モジュール３２０は、無線プロトコルを用いて主ユニット３５０と通信するように備えられることが可能である。
【００３４】
制御モジュール３２０は第２の更なる複数のコネクタ３２２を有し、それらのコネクタは、制御回路構成３２４にディスプレイ装置１００の複数のコネクタ１３２、１５４、１５６及び１５８を接続するための回路構成に接続されている。この実施例においては示していないが、制御モジュールは又、制御回路構成３２４に更なるシフトレジスタ１６０のコネクタ１６４、１６６及び１６８を接続するためのコネクタ３２２を有することが可能であることは、当業者には明らかであろう。制御回路構成３２４は、典型的には、ディスプレイ装置１００の第２導体１３０において制御信号を駆動するための列ドライバ回路構成及びシフトレジスタ１５０にクロック信号を供給するための行ドライバ回路構成と、電源と、任意に、シフトレジスタのためのビットパターンとを有する。ディスプレイ装置１００における限定された数のコネクタ１３２、１５４、１５６及び１５８はディスプレイ装置１００の容易な交換を促進し、それ故、そのようなディスプレイ装置を有する電子装置３００の市場性を改善する。
【００３５】
上記の実施形態は本発明を限定するものではなく例示的なものであり、同時提出の特許請求の範囲における範囲から逸脱することなく代替の実施形態を当業者は構成することができることに留意する必要がある。用語‘を有する’は、請求項に挙げられていない要素又は段階の存在を排除するものではない。要素の単数表現はその様な要素の複数の存在を排除するものではない。本発明を、幾つかの個別の要素を有するハードウェアにより実施することができる。幾つかの手段を挙げている装置請求項においては、それらの手段の幾つかを同一のハードウェアにより実施することができる。特定の手段が互いに異なる独立請求項に列挙されていることは、それらの手段の組み合わせが有利に用いられることができないことを意味するものではない。
【図面の簡単な説明】
【００３６】
【図１】本発明のディスプレイ装置の実施形態を示す図である。
【図２】本発明のディスプレイ装置の他の実施形態を示す図である。
【図３】本発明の電子装置を示す図である。
【図１】
2007503012.tif 000003
【図２】
2007503012.tif 000004
【図３】
2007503012.tif 000005
【国際調査報告】
2007503012.tif 000006
2007503012.tif 000007
2007503012.tif 000008
2007503012.tif 000009